(57)【要約】  本開示は、ＲＲＣ接続の再確立手順において、ユーザ機器ＵＥの進行中の送信を一時停止する必要があるという問題を解決する再設定方法及び端末を提供する。本開示に係る処理方法は、前記端末とマスタ基地局ＭＮとの間の接続に失敗した場合に、セカンダリ基地局ＳＮにマスタ基地局ＭＮ無線接続失敗の指示を報告することと、ターゲットタイマがタイムアウトする前にＲＲＣ再設定メッセージを受信すると、前記ＲＲＣ再設定メッセージに基づいて再設定処理を行うこととを含む。【選択図】  図２
2021533630.tif 000002
【特許請求の範囲】
【請求項１】
少なくとも２つの基地局に接続された端末に適用される再設定方法であって、
前記端末とマスタ基地局ＭＮとの間の接続に失敗した場合に、セカンダリ基地局ＳＮにマスタ基地局ＭＮ無線接続失敗の指示を報告することと、
ターゲットタイマがタイムアウトする前にＲＲＣ再設定メッセージを受信すると、前記ＲＲＣ再設定メッセージに基づいて再設定処理を行うこととを含む、再設定方法。
【請求項２】
前記ターゲットタイマの開始時刻は、
前記マスタ基地局ＭＮ無線接続失敗の指示の生成プロセスにおける予め設定された時刻、
又は、前記端末の無線リソース制御ＲＲＣ層が前記マスタ基地局ＭＮ無線接続失敗の指示を下位層に転送する時刻、
又は、前記マスタ基地局ＭＮ無線接続失敗の指示をエアインタフェースで送信する時刻とを含む、請求項１に記載の再設定方法。
【請求項３】
前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである、請求項１に記載の再設定方法。
【請求項４】
ＲＲＣ層がＲＲＣ再設定メッセージを受信したか、又はＲＲＣ再設定メッセージに基づいて再設定処理を行うときにタイミングを停止するように前記ターゲットタイマを制御することをさらに含む、請求項１に記載の再設定方法。
【請求項５】
前記ＲＲＣ再設定メッセージが同期再設定ＩＥを含む再設定メッセージである場合、
前記ＲＲＣ再設定メッセージに基づいて再設定処理を行った後、
前記ＲＲＣ再設定メッセージに基づいてランダムアクセス手順を開始することと、
前記ターゲットタイマがタイムアウトする前に、端末のＲＲＣ層が、媒体アクセス制御ＭＡＣ層が送信したランダムアクセス成功の指示を受信すると、タイミングを停止するように前記ターゲットタイマを制御することとをさらに含む、請求項３に記載の再設定方法。
【請求項６】
セカンダリ基地局ＳＮにマスタ基地局ＭＮ無線接続失敗の指示を報告した後、
前記ターゲットタイマがタイムアウトすると、ＲＲＣ接続の再確立手順を開始することをさらに含む、請求項１に記載の再設定方法。
【請求項７】
前記マスタ基地局ＭＮ無線接続失敗の指示は、
マスタ基地局ＭＮ無線接続に失敗した原因及び端末の測定結果のうちの少なくとも１つを含む、請求項１に記載の再設定方法。
【請求項８】
少なくとも２つの基地局に接続された端末であって、
前記端末とマスタ基地局ＭＮとの間の接続に失敗した場合に、セカンダリ基地局ＳＮにマスタ基地局ＭＮ無線接続失敗の指示を報告するための報告モジュールと、
ターゲットタイマがタイムアウトする前にＲＲＣ再設定メッセージを受信すると、前記ＲＲＣ再設定メッセージに基づいて再設定処理を行うための再設定モジュールとを含む、端末。
【請求項９】
前記ターゲットタイマの開始時刻は、
前記マスタ基地局ＭＮ無線接続失敗の指示の生成プロセスにおける予め設定された時刻、
又は、前記端末の無線リソース制御ＲＲＣ層が前記マスタ基地局ＭＮ無線接続失敗の指示を下位層に転送する時刻、
又は、前記マスタ基地局ＭＮ無線接続失敗の指示をエアインタフェースで送信する時刻を含む、請求項８に記載の端末。
【請求項１０】
前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである、請求項８に記載の端末。
【請求項１１】
ＲＲＣ層がＲＲＣ再設定メッセージを受信したか、又はＲＲＣ再設定メッセージに基づいて再設定処理を行うときにタイミングを停止するように前記ターゲットタイマを制御するための第１の制御モジュールをさらに含む、請求項８に記載の端末。
【請求項１２】
前記ＲＲＣ再設定メッセージが同期再設定ＩＥを含む再設定メッセージである場合、前記再設定モジュールが前記ＲＲＣ再設定メッセージに基づいて再設定処理を行った後、前記ＲＲＣ再設定メッセージに基づいてランダムアクセス手順を開始するための第１の処理モジュールと、
前記ターゲットタイマがタイムアウトする前に、端末のＲＲＣ層が、媒体アクセス制御ＭＡＣ層が送信したランダムアクセス成功の指示を受信すると、タイミングを停止するように前記ターゲットタイマを制御するための第２の制御モジュールとをさらに含む、請求項１０に記載の端末。
【請求項１３】
報告モジュールがマスタ基地局ＭＮ無線リンク失敗の指示をセカンダリ基地局ＳＮに報告した後、前記ターゲットタイマがタイムアウトすると、ＲＲＣ接続の再確立手順を開始するための第２の処理モジュールをさらに含む、請求項８に記載の端末。
【請求項１４】
前記マスタ基地局ＭＮ無線接続失敗の指示は、
マスタ基地局ＭＮ無線接続に失敗した原因及び端末の測定結果のうちの少なくとも１つを含む、請求項８に記載の端末。
【請求項１５】
メモリと、プロセッサと、メモリに記憶されプロセッサ上で実行可能なコンピュータプログラムとを含み、該コンピュータプログラムが前記プロセッサによって実行されると、請求項１−７のいずれか１項に記載の再設定方法のステップを実現する、端末。
【請求項１６】
プロセッサによって実行されると、請求項１−７のいずれか１項に記載の再設定方法のステップを実現するコンピュータプログラムが記憶されているコンピュータ読み取り可能な記憶媒体。
【発明の詳細な説明】
【技術分野】
【０００１】
（関連出願の相互参照）
本願は、２０１８年８月１日に提出された中国特許出願第２０１８１０８６４５１５．４号の優先権を主張するものであり、その全ての内容は参照により本願に取り込まれるものとする。
本開示は、通信アプリケーションの技術分野に関し、特に再設定方法及び端末に関する。
【背景技術】
【０００２】
ユーザ機器（Ｕｓｅｒ  Ｅｑｕｉｐｍｅｎｔ、ＵＥ）又は端末とネットワークとの間の通信に問題が発生した場合、ＵＥは無線リソース制御（Ｒａｄｉｏ  Ｒｅｓｏｕｒｃｅ  Ｃｏｎｔｒｏｌ、ＲＲＣ）接続の再確立手順を開始する必要がある。ＲＲＣ接続の再確立手順は、ネットワークとＵＥとの間のシグナリング接続、すなわち、シグナリング無線ベアラ（Ｓｉｇｎａｌ  Ｒａｄｉｏ  Ｂｅａｒｅｒ、ＳＲＢ１）を再開する。
【０００３】
ユーザ機器ＵＥとネットワークとの間の通信に発生する問題は、
ユーザ機器ＵＥとマスタ基地局（Ｍａｓｔｅｒ  Ｎｏｄｅ、ＭＮ）との間に無線リンク失敗（例えば、ユーザ機器ＵＥがマスタ基地局ＭＮダウンリンクの品質を検出するために設定したタイマＴ３１０がタイムアウトすること、最大回数に達しても、ＵＥ  ＭＡＣ層のＲＡＣＨ試行に失敗すること、最大回数に達しても、ＵＥ  ＲＬＣ層のＡＭモードの再送信に失敗することなど）が発生することと、
ユーザ機器ＵＥがハンドオーバに失敗することと、
ユーザ機器ＵＥが受信したシグナリング無線ベアラＳＲＢ１又はシグナリング無線ベアラＳＲＢ２によって送信されたシグナリングが完全性保護チェックに失敗することと、
ユーザ機器ＵＥがネットワークから送信されたＲＲＣ再設定命令を実行できない（例えば、再設定後のパラメータ値がユーザ機器ＵＥのハードウェア能力を超えている）こととを含む。
【０００４】
しかしながら、ＲＲＣ接続の再確立手順では、ユーザ機器ＵＥの進行中の送信を一時停止する必要があり、これは、ユーザ体験に影響する。
【発明の概要】
【発明が解決しようとする課題】
【０００５】
本開示は、ＲＲＣ接続の再確立手順において、ユーザ機器ＵＥの進行中の送信を一時停止する必要があるという問題を解決するための再設定方法及び端末を提供することを目的としている。
【課題を解決するための手段】
【０００６】
第１の態様では、本開示に係る、少なくとも２つの基地局に接続された端末に適用される再設定方法は、
前記端末とマスタ基地局ＭＮとの間の接続に失敗した場合に、セカンダリ基地局ＳＮにマスタ基地局ＭＮ無線接続失敗の指示を報告することと、
ターゲットタイマがタイムアウトする前にＲＲＣ再設定メッセージを受信すると、前記ＲＲＣ再設定メッセージに基づいて再設定処理を行うこととを含む。
【０００７】
第２の態様では、本開示の実施例に係る、少なくとも２つの基地局に接続された端末は、
前記端末とマスタ基地局ＭＮとの間の接続に失敗した場合に、セカンダリ基地局ＳＮにマスタ基地局ＭＮ無線接続失敗の指示を報告するための報告モジュールと、
ターゲットタイマがタイムアウトする前にＲＲＣ再設定メッセージを受信すると、前記ＲＲＣ再設定メッセージに基づいて再設定処理を行うための再設定モジュールとを含む。
【０００８】
第３の態様では、本開示の実施例に係る端末は、メモリと、プロセッサと、メモリに記憶されプロセッサ上で実行可能なコンピュータプログラムとを含み、コンピュータプログラムが前記プロセッサによって実行されると、上記再設定方法のステップを実現する。
【０００９】
第４の態様では、本開示の実施例に係るコンピュータ読み取り可能な記憶媒体には、プロセッサによって実行されると、上記再設定方法のステップを実現するコンピュータプログラムが記憶されている。
【発明の効果】
【００１０】
本開示の実施例は、以下の有益な効果を有する。
【００１１】
本開示の実施例における上記技術手段では、前記端末とマスタ基地局ＭＮとの間の無線接続に失敗した場合に、セカンダリ基地局ＳＮにマスタ基地局ＭＮ無線接続失敗の指示を報告し、ターゲットタイマがタイムアウトする前にＲＲＣ再設定メッセージを受信すると、前記ＲＲＣ再設定メッセージに基づいて再設定処理を行うことにより、ユーザ機器ＵＥによるＲＲＣ接続の再確立手順の開始を回避し、さらにユーザ機器ＵＥデータの送受信が中断される問題を回避する。
【００１２】
本開示の実施例に係る技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【図面の簡単な説明】
【００１３】
【図１】本開示の実施例が適用可能なネットワークシステムの構成図である。
【図２】本開示の実施例に係る再設定方法のフローチャートその１である。
【図３】本開示の実施例に係る再設定方法のフローチャートその２である。
【図４】本開示の実施例に係る端末のブロック図である。
【図５】本開示の実施例に係る端末のブロック構成図その１である。
【図６】本開示の実施例に係る端末のブロック構成図その２である。
【図７】本開示の実施例に係る基地局のブロック図である。
【図８】本開示の実施例に係る基地局のブロック構成図である。
【発明を実施するための形態】
【００１４】
以下、本開示の実施例における図面を参照しながら、本開示の実施例における技術手段を明確かつ完全に説明する。明らかに、説明される実施例は、本開示の実施例の一部に過ぎず、全てではない。本開示における実施例に基づいて、当業者が創造的な労働をしない前提で得られる他の全ての実施例は、いずれも本開示の保護範囲に属するものである。
特許請求の範囲及び明細書において使用される「及び／又は」の表現は、接続対象の少なくとも１つを表す。
【００１５】
以下の説明は、例を提供するものであり、特許請求の範囲に記載された範囲、適用性又は構成を限定するものではない。本開示の趣旨及び範囲から逸脱することなく、検討された要素の機能及び配置を変更することができる。様々な例は、適宜に様々な手順やコンポーネントを省略、置換、又は追加することができる。例えば、説明した方法を、説明した順序とは異なる順序で実行してもよく、様々なステップを追加、省略、又は組み合わせてもよい。また、いくつかの例に関して説明した特徴は、他の例において組み合わされ得る。
【００１６】
図１は、本開示の実施例が適用可能なネットワークシステムの構成図であり、図１に示すように、ユーザ端末１１と、第１の基地局１２と、第２の基地局１３とを含み、ユーザ端末１１は、ユーザ機器（Ｕｓｅｒ  Ｅｑｕｉｐｍｅｎｔ、ＵＥ）、例えば、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ、  ＰＤＡ）、モバイルインターネットデバイス（Ｍｏｂｉｌｅ  Ｉｎｔｅｒｎｅｔ  Ｄｅｖｉｃｅ、ＭＩＤ）、又はウェアラブルデバイス（Ｗｅａｒａｂｌｅ  Ｄｅｖｉｃｅ）などの端末側デバイスであってよく、なお、本開示の実施例では、ユーザ端末１１の具体的なタイプは限定されない。上記第１の基地局１２及び第２の基地局１３は、５Ｇ以降のバージョンの基地局（例えば、ｇＮＢ、５Ｇ  ＮＲ  ＮＢ）、又は他の通信システムにおける基地局であってもよく、ノードＢ、進化型ノードＢ、トランシーバノード（ｔｒａｎｓｍｉｔｔｉｎｇ  ｒｅｃｅｉｖｉｎｇ  ｐｏｉｎｔ、ＴＲＰ）、又は前記分野における他の用語で呼ばれてもく、同等の技術的効果が達成される限り、前記基地局は特定の技術的用語に限定されず、なお、本開示の実施例では、５Ｇ基地局のみを例とするが、基地局の具体的なタイプは限定されない。
【００１７】
本開示の実施例は、少なくとも２つの基地局に接続された端末に適用される再設定方法を提供し、当業者が本開示の実施例をより好適に理解できるようにするために、まず、以下の説明を行う。
【００１８】
（１）デュアル接続又はマルチ接続
デュアル接続は、長期進化（Ｌｏｎｇ  Ｔｅｒｍ  Ｅｖｏｌｕｔｉｏｎ、ＬＴＥ）システムで導入された技術であり、新たな無線技術（Ｎｅｗ  Ｒａｄｉｏ、ＮＲ）においても使用され、ユーザ機器ＵＥが２つの基地局に同時に接続でき、２つの基地局が同時にユーザ機器（Ｕｓｅｒ  Ｅｑｕｉｐｍｅｎｔ、ＵＥ）又は端末にデータの送受信サービスを提供することを意味する。２つの基地局の無線リソースを同時に使用できるため、ユーザ機器ＵＥのサービスデータ送信速度が倍に向上する。
【００１９】
同じユーザ機器ＵＥにサービスを提供する２つの基地局間にシグナリングインタフェースがあり、関連するユーザ機器ＵＥの設定情報を交換することができる。
【００２０】
デュアル接続ユーザ機器ＵＥのサービング基地局は、同じ無線アクセスタイプ（Ｒａｄｉｏ  Ａｃｃｅｓｓ  Ｔｙｐｅ、ＲＡＴ）に属してもよく、例えば、２つのＬＴＥ  ｅＮＢである。デュアル接続ユーザ機器ＵＥのサービング基地局は、異なる無線アクセスタイプＲＡＴに属してもよく、例えば、１つのＬＴＥ  ｅＮＢと１つのＮＲ  ｇＮＢである。
【００２１】
デュアル接続ユーザ機器ＵＥのサービング基地局には、１つのマスタ基地局（Ｍａｓｔｅｒ  Ｎｏｄｅ、ＭＮ）と１つのセカンダリ基地局（Ｓｅｃｏｎｄａｒｙ  Ｎｏｄｅ、ＳＮ）がある。各基地局は、キャリアアグリゲーション（Ｃａｒｒｉｅｒ  Ａｇｇｒｅｇａｔｉｏｎ、ＣＡ）をサポートできる。ネットワークは、デュアル接続ユーザ機器ＵＥに２つのスペシャルセル（ｓｐｅｃｉａｌ  ｃｅｌｌ）を設定し、つまり、マスタ基地局ＭＮの１つのサービングセルをユーザ機器ＵＥのプライマリセル（Ｐｒｉｍａｒｙ  Ｃｅｌｌ、ＰＣｅｌｌ）として設定し、セカンダリ基地局ＭＮの１つのサービングセルをユーザ機器ＵＥのプライマリセカンダリセル（Ｐｒｉｍａｒｙ  Ｓｅｃｏｎｄａｒｙ  Ｃｅｌｌ、ＰＳｃｅｌｌ）として設定する。ユーザ機器ＵＥにサービスを提供するマスタ基地局ＭＮ及びセカンダリ基地局ＭＮの他のセルは、当該ユーザ機器ＵＥのセカンダリセル（Ｓｅｃｏｎｄａｒｙ  Ｃｅｌｌ、Ｓｃｅｌｌ）である。
【００２２】
マルチ接続とは、デュアル接続と同様に、３つ以上の基地局が同じユーザ機器ＵＥにサービスを提供することを意味する。マルチ接続ユーザ機器ＵＥのサービング基地局のうちの１つは、マスタ基地局（Ｍａｓｔｅｒ  Ｎｏｄｅ、ＭＮ）であり、もう一つはセカンダリ基地局（Ｓｅｃｏｎｄａｒｙ  Ｎｏｄｅ、ＳＮ）である。各基地局は、ＣＡをサポートできる。
【００２３】
ネットワークは、マルチ接続ユーザ機器ＵＥに複数のスペシャルセル（ｓｐｅｃｉａｌ  ｃｅｌｌ）を設定し、つまり、マスタ基地局ＭＮの１つのサービングセルをユーザ機器ＵＥのプライマリセル（Ｐｒｉｍａｒｙ  Ｃｅｌｌ、ＰＣｅｌｌ）として設定し、各セカンダリ基地局ＭＮの１つのサービングセルをユーザ機器ＵＥのプライマリセカンダリセル（Ｐｒｉｍａｒｙ  Ｓｅｃｏｎｄａｒｙ  Ｃｅｌｌ、ＰＳｃｅｌｌ）として設定する。ユーザ機器ＵＥにサービスを提供するマスタ基地局ＭＮ及びセカンダリ基地局ＭＮの他のセルは、当該ユーザ機器ＵＥのセカンダリセル（Ｓｅｃｏｎｄａｒｙ  Ｃｅｌｌ、Ｓｃｅｌｌ）である。
【００２４】
（２）キャリアアグリゲーション
ＬＴＥでは、各セルの最大システム帯域幅は２０ＭＨｚであり、１つの基地局は、異なる中心周波数ビンを持つ複数のセルを管理する場合がある。ＣＡ能力を有するユーザ機器ＵＥに広い帯域幅要件がある場合（例えば、大きなファイルを高速でダウンロードする必要がある場合）、基地局は、その管轄下にある異なる周波数ビンを持つ複数のセル（ユーザ機器ＵＥは、これらの複数の周波数ビンを持つセルのカバレッジ内にある必要がある）を設定して、ユーザ機器ＵＥにデータを同時に送信することができる。例えば、ユーザ機器ＵＥが１００ＭＨｚ帯域幅でデータを同時に送信できるように、ユーザ機器ＵＥに５つの２０ＭＨｚセルを設定する。基地局は、ＲＲＣシグナリングを使用して、接続状態にあるユーザ機器ＵＥに、ＣＡを行うことができるキャリアアグリゲーションを設定し、当該キャリアアグリゲーションには、プライマリセル（Ｐｒｉｍａｒｙ  Ｃｅｌｌ、ＰＣｅｌｌ）が１つで、他はセカンダリセル（Ｓｅｃｏｎｄａｒｙ  Ｃｅｌｌ、ＳＣｅｌｌ）である。
【００２５】
ＮＲシステムもＬＴＥと同様のキャリアアグリゲーション技術を使用する。
【００２６】
（３）無線リンク監視ＲＬＭ及び無線リンク失敗ＲＬＦ
ＬＴＥ及びＮＲのシステムでは、ユーザ機器ＵＥは無線リンク監視（Ｒａｄｉｏ  Ｌｉｎｋ  Ｍｏｎｉｔｏｒ、ＲＬＭ）機能を使用して、無線リンク失敗（Ｒａｄｉｏ  Ｌｉｎｋ  Ｆａｉｌｕｒｅ、ＲＬＦ）が発生したかどうかを検出する。無線リンク失敗ＲＬＦが発生したことを判定した後、ユーザ機器ＵＥは対応するリンク回復手順を実行する。
【００２７】
無線リンク監視ＲＬＭと無線リンク失敗ＲＬＦは、プライマリセルＰＣｅｌｌとプライマリセカンダリセルＰＣｅｌｌでのみ実行される。
【００２８】
（３．１）プライマリセルＰＣｅｌｌでの無線リンク監視ＲＬＭ及び無線リンク失敗ＲＬＦ
ＬＴＥの無線リンク監視ＲＬＭ機能では、ユーザ機器ＵＥは、プライマリセルＰＣｅｌｌ物理ダウンリンク制御チャネルＰＤＣＣＨに対応するセル基準信号ＣＲＳの信号対干渉雑音電力比ＳＩＮＲを測定することによって、無線リンクを検出する。ユーザ機器ＵＥ物理層（Ｌ１）が、プライマリセルＰＣｅｌｌのＰＤＣＣＨに対応するＣＲＳのＳＩＮＲが特定のしきい値よりも低いことを測定した場合には、当該無線リンクが「ｏｕｔ−ｏｆ−ｓｙｎｃ」であると認定され、物理層は、上位層（ＲＲＣ層、Ｌ３）に同期外れｏｕｔ−ｏｆ−ｓｙｎｃ指示を通知し、ＲＲＣ層に、連続したＮ３１０個の同期外れｏｕｔ−ｏｆ−ｓｙｎｃ指示を通知した場合、ＵＥ  ＲＲＣ層はＴｉｍｅｒＴ３１０を開始する。
【００２９】
ＰＣｅｌｌ  ＰＤＣＣＨに対応するＣＲＳの測定されたＳＩＮＲが特定のしきい値よりも高い場合には、当該無線リンクが「ｉｎ−ｓｙｎｃ」であると認定される。すると、物理層は、上位層（ＲＲＣ層）に同期ｉｎ−ｓｙｎｃ指示を通知し、ＴｉｍｅｒＴ３１０の動作中に、ＲＲＣ層に、連続したＮ３１１個のｉｎ−ｓｙｎｃ指示を通知した場合、ユーザ機器ＵＥはＴｉｍｅｒＴ３１０の動作を停止する。
【００３０】
ｔｉｍｅｒ  Ｔ３１０がタイムアウトした場合に、ユーザ機器ＵＥはユーザ機器ＵＥに無線リンク失敗（ＲＬＦ）が発生したと判定し、タイマＴ３１１を開始し、Ｔ３１１の動作中に、ユーザ機器ＵＥはＲＲＣ接続の再確立のために、適切なセルを見つけようとする。ユーザ機器ＵＥが無線リンク失敗ＲＬＦを判定した後、再確立に成功する前に、ユーザ機器ＵＥとネットワークとの間のユーザプレーンデータの送受信が中断される。
【００３１】
Ｔ３１１がタイムアウトする前にユーザ機器ＵＥが再確立に成功しなかった場合に、ユーザ機器ＵＥはＲＲＣ接続（ＲＲＣ＿ＣＯＮＮＥＣＴＥＤ）状態からＲＲＣアイドル（ＲＲＣ＿ＩＤＬＥ）状態に移行する。
【００３２】
Ｎ３１０とＮ３１１の値、及びＴ３１０とＴ３１１の時間長さは、全てネットワークによって設定される。
【００３３】
ＮＲの無線リンク監視ＲＬＭ手順はＬＴＥと類似し、ＮＲでは、プライマリセルＰＣｅｌｌによって検出される無線リンク監視ＲＬＭ基準信号ＲＳは、ネットワークによって設定される。
【００３４】
上記説明から明らかなように、ＲＲＣ接続の再確立手順において、ユーザ機器ＵＥの進行中の送信を一時停止する必要があり、デュアル接続又はマルチ接続の場合、ユーザ機器ＵＥとセカンダリ基地局ＭＮとの間に（例えば、シグナリング無線ベアラＳＲＢ１ｓやシグナリング無線ベアラＳＲＢ３により）シグナリングメッセージを転送することもできる。したがって、ユーザ機器ＵＥとマスタ基地局ＭＮとの間の無線リンクに失敗した場合に、再確立手順を採用せずに、通信可能なセカンダリ基地局ＭＮを介して無線接続失敗情報をネットワークに報告し、ネットワークによってユーザ機器ＵＥを再設定することができる。
【００３５】
これに基づいて、図２に示すように、本開示の実施例に係る少なくとも２つの端末に接続された端末に適用される再設定方法を提供する。該処理方法は、以下のステップ２０１〜２０２を含む。
ステップ２０１では、前記端末とマスタ基地局ＭＮとの間の接続に失敗した場合に、セカンダリ基地局ＳＮにマスタ基地局ＭＮ無線接続失敗の指示を報告する。
【００３６】
無線接続失敗は、
ユーザ機器ＵＥとマスタ基地局ＭＮとの間に無線リンク失敗（例えば、ユーザ機器ＵＥがマスタ基地局ＭＮダウンリンクの品質を検出するために設定したタイマＴ３１０がタイムアウトすること、最大回数に達しても、ＵＥ  ＭＡＣ層のＲＡＣＨ試行に失敗すること、最大回数に達しても、ＵＥ  ＲＬＣ層のＡＭモードの再送信に失敗することなど）が発生すること、
又は、ユーザ機器ＵＥがハンドオーバに失敗すること、
又は、ユーザ機器ＵＥが受信したシグナリング無線ベアラＳＲＢ１若しくはシグナリング無線ベアラＳＲＢ２によって送信されたシグナリングが完全性保護チェックに失敗すること、
又は、ユーザ機器ＵＥがネットワークから送信されたＲＲＣ再設定命令を実行できない（例えば、再設定後のパラメータ値がユーザ機器ＵＥのハードウェア能力を超えている）ことを含む。
【００３７】
つまり、本開示の実施例における再設定方法は、ユーザ機器ＵＥとマスタ基地局ＭＮとの間の無線リンクに失敗した場合、ユーザ機器ＵＥがハンドオーバに失敗した場合、ユーザ機器ＵＥが受信したシグナリング無線ベアラＳＲＢ１若しくはシグナリング無線ベアラＳＲＢ２によって送信されたシグナリングが完全性保護チェックに失敗した場合、又はユーザ機器ＵＥがネットワークから送信されたＲＲＣ再設定命令を実行できなかった場合のうちの少なくとも１つに適用される。
【００３８】
以下、無線接続失敗が無線リンク失敗であることを例に説明し、具体的には、端末は、マスタ基地局ＭＮとの間の無線リンクに失敗したことを検出すると、マスタ基地局ＭＮ無線リンク失敗の指示を生成し、当該マスタ基地局ＭＮ無線リンク失敗の指示をセカンダリ基地局ＭＮに報告する。
【００３９】
マスタ基地局ＭＮとの間の無線リンクに失敗したか否かを検出するために、端末は上記方法又は他の既存のメカニズムを採用することができるが、ここでは説明を繰り返さない。
【００４０】
上記マスタ基地局ＭＮ無線接続失敗の指示は、
マスタ基地局ＭＮ無線接続に失敗した原因及び端末の測定結果のうちの少なくとも１つを含む。当該端末の測定結果は、ネットワークがユーザ機器ＵＥにサービングセルを再選択するために用いられる。
【００４１】
上記無線接続失敗が無線リンク失敗である場合、当該マスタ基地局ＭＮ無線接続失敗の指示は、無線リンク失敗の指示である。
【００４２】
ステップ２０２では、ターゲットタイマがタイムアウトする前にＲＲＣ再設定メッセージを受信すると、前記ＲＲＣ再設定メッセージに基づいて再設定処理を行う。
【００４３】
上記ＲＲＣ再設定メッセージは、前記マスタ基地局ＭＮ無線リンク失敗の指示に基づいて決定される。
【００４４】
本開示の実施例では、端末が上記マスタ基地局ＭＮ無線接続失敗の指示を生成又は送信するプロセスにおいて、上記ターゲットタイマＴを開始する。当該ターゲットタイマＴの具体的な開始時刻は、
前記マスタ基地局ＭＮ無線接続失敗の指示の生成プロセスにおける予め設定された時刻であって、
無線リソース制御ＲＲＣ層が前記マスタ基地局ＭＮ無線接続失敗の指示を生成する開始時刻であってもよいし、無線リソース制御ＲＲＣ層が前記マスタ基地局ＭＮ無線接続失敗の指示を生成する終了時刻であってもよいし、前記開始時刻と終了時刻との間の任意の時刻であってもよく、プロトコルによって取り決められる時刻、
又は、前記端末のＲＲＣ層が前記マスタ基地局ＭＮ無線接続失敗の指示を下位層に転送する時刻、
又は、前記マスタ基地局ＭＮ無線接続失敗の指示をエアインタフェースで送信する時刻を含む。
【００４５】
さらに、上記ターゲットタイマＴのタイミング時間長さは、専用のＲＲＣシグナリング又はシステムメッセージを介してネットワークによってユーザ機器ＵＥに通知され得る。
【００４６】
上記ＲＲＣ再設定メッセージは、特定のＩＥ（Ｉｎｆｏｒｍａｔｉｏｎ  Ｅｌｅｍｅｎｔ、情報要素）を含む再設定メッセージであり、前記特定の情報要素ＩＥは、同期再設定（ｒｅｃｏｎｆｉｇｕｒａｔｉｏｎＷｉｔｈＳｙｎｃ）ＩＥ、フル設定（ｆｕｌｌＣｏｎｆｉｇ）ＩＥ、マスターセルグループ（ｍａｓｔｅｒＣｅｌｌＧｒｏｕｐ）ＩＥ、又は失敗指示応答ＩＥであってもよいし、ＲＲＣ再設定メッセージにおける他の指定の情報要素ＩＥであってもよく、前記特定の情報要素ＩＥが具体的にどのような情報要素ＩＥであるかは、プロトコルによって取り決められ、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【００４７】
本開示の実施例では、ユーザ機器ＵＥがセカンダリ基地局ＭＮにマスタ基地局ＭＮ接続失敗の指示を報告する場合、ネットワークは、同時にユーザ機器ＵＥを再設定している可能性があり、つまり、時刻Ｔ１に、ユーザ機器ＵＥはマスタ基地局ＭＮ無線接続失敗の指示を報告し、同時にネットワークはＲＲＣ再設定メッセージを送信し、次の時刻Ｔ２に、ユーザ機器ＵＥはネットワークから送信された再設定メッセージを受信するが、時刻Ｔ２にユーザ機器ＵＥが受信した再設定メッセージは、マスタ基地局ＭＮ無線接続失敗の問題を解決するためにネットワークで使用されるものではない可能性があるため、ネットワークは、特定の識別子／情報要素ＩＥにより、今回の再設定でマスタ基地局ＭＮ無線接続失敗を解決できることをユーザ機器ＵＥに通知する必要がある。
【００４８】
本開示の実施例における再設定方法では、前記端末とマスタ基地局ＭＮとの間の無線接続に失敗した場合に、セカンダリ基地局ＳＮにマスタ基地局ＭＮ無線接続失敗の指示を報告し、ターゲットタイマがタイムアウトする前にＲＲＣ再設定メッセージを受信すると、前記ＲＲＣ再設定メッセージに基づいて再設定処理を行うことにより、ユーザ機器ＵＥによるＲＲＣ接続の再確立手順の開始を回避し、さらにユーザ機器ＵＥデータの送受信が中断される問題を回避する。
【００４９】
さらに、本開示の実施例における再設定方法は、
ＲＲＣ層がＲＲＣ再設定メッセージを受信したか、又はＲＲＣ再設定メッセージに基づいて再設定処理を行うときにタイミングを停止するように前記ターゲットタイマを制御することを含む。
【００５０】
ここでのＲＲＣ再設定メッセージは、ＬＴＥのＲＲＣ接続再設定（ＲＲＣ  Ｃｏｎｎｅｃｔｉｏｎ  Ｒｅｃｏｎｆｉｇｕｒａｔｉｏｎ）メッセージとＮＲのＲＲＣ再設定（ＲＲＣ  Ｒｅｃｏｎｆｉｇｕｒａｔｉｏｎ）メッセージを含む。
【００５１】
本開示の実施例では、端末とマスタ基地局ＭＮとの間の接続が再開すると、端末はタイミングを停止するようにターゲットタイマを制御する。当該無線接続の再開は、ＲＲＣ層がＲＲＣ再設定メッセージを受信したか、ＲＲＣ再設定メッセージに基づいて再設定処理を行うことを意味してもよい。
【００５２】
さらに、上記無線接続の再開は、端末が同期再設定ＩＥを含む再設定メッセージを受信し、端末がランダムアクセス手順を完了することを意味してもよく、これに基づいて、ＲＲＣ再設定メッセージが同期再設定ＩＥを含む再設定メッセージである場合、
前記ＲＲＣ再設定メッセージに基づいて再設定処理を行った後、
前記ＲＲＣ再設定メッセージに基づいてランダムアクセス手順を開始することと、
前記ターゲットタイマがタイムアウトする前に、端末のＲＲＣ層が、媒体アクセス制御ＭＡＣ層が送信したランダムアクセス成功の指示を受信すると、タイミングを停止するように前記ターゲットタイマを制御することとをさらに含む。
【００５３】
ターゲットタイマの動作中に、端末が同期ＲＲＣ接続再設定メッセージ（同期再設定ＩＥを含む再設定メッセージ）を受信すると、ＲＡＣＨへのランダムアクセスが成功した後、ターゲットタイマＴを停止する。
【００５４】
当該ＲＲＣ再設定メッセージは、ＬＴＥのＲＲＣ接続再設定（ＲＲＣ  Ｃｏｎｎｅｃｔｉｏｎ  Ｒｅｃｏｎｆｉｇｕｒａｔｉｏｎ）メッセージとＮＲのＲＲＣ再設定（ＲＲＣ  Ｒｅｃｏｎｆｉｇｕｒａｔｉｏｎ）メッセージを含む。
【００５５】
さらに、前記マスタ基地局ＭＮ無線接続失敗の指示をセカンダリ基地局ＳＮに報告した後、
前記ターゲットタイマがタイムアウトすると、ＲＲＣ接続の再確立手順を開始することをさらに含む。
【００５６】
ユーザ機器ＵＥがマスタ基地局ＭＮ無線接続失敗の指示をネットワークに報告すると、ターゲットタイマＴが開始され、Ｔがタイムアウトしたときに、マスタ基地局ＭＮ無線接続が再開されていない場合、ユーザ機器ＵＥはＲＲＣ接続の再確立を行う。
【００５７】
本開示の実施例における再設定方法では、ネットワークにユーザ機器ＵＥをタイムリーに再設定させるために、端末はセカンダリ基地局ＭＮを介してマスタ基地局ＭＮ接続失敗を報告することにより、ユーザ機器ＵＥによるＲＲＣ接続の再確立手順の開始を回避し、さらにユーザ機器ＵＥデータの送受信が中断される問題を回避する。
【００５８】
図３に示すように、本開示の実施例に係る基地局に適用される再設定方法を提供する。該処理方法は、以下のステップ３０１〜３０２を含む。
【００５９】
ステップ３０１では、端末から送信されたマスタ基地局ＭＮ無線接続失敗の指示を取得する。
【００６０】
ここでの基地局とは、具体的には端末に接続されたセカンダリ基地局ＳＮを指し、当該マスタ基地局ＭＮ無線リンク失敗の指示は、端末がマスタ基地局ＭＮとの間の無線接続に失敗したことを検出すると、当該セカンダリ基地局ＳＮに送信されるものである。
【００６１】
ここで、無線接続失敗は、
ユーザ機器ＵＥとマスタ基地局ＭＮとの間に無線リンク失敗（例えば、ユーザ機器ＵＥがマスタ基地局ＭＮダウンリンクの品質を検出するために設定したタイマＴ３１０がタイムアウトすること、最大回数に達しても、ＵＥＭＡＣ層のＲＡＣＨ試行に失敗すること、最大回数に達しても、ＵＥ  ＲＬＣ層のＡＭモードの再送信に失敗することなど）が発生すること、
又は、ユーザ機器ＵＥがハンドオーバに失敗すること、
又は、ユーザ機器ＵＥが受信したシグナリング無線ベアラＳＲＢ１若しくはシグナリング無線ベアラＳＲＢ２によって送信されたシグナリングが完全性保護チェックに失敗すること、
又は、ユーザ機器ＵＥがネットワークから送信されたＲＲＣ再設定命令を実行できない（例えば、再設定後のパラメータ値がユーザ機器ＵＥのハードウェア能力を超えている）ことを含む。
【００６２】
上記マスタ基地局ＭＮ無線接続失敗の指示は、マスタ基地局ＭＮ無線接続に失敗した原因及び端末の測定結果のうちの少なくとも１つを含む。当該端末の測定結果は、ネットワークがユーザ機器ＵＥにサービングセルを再選択するために用いられる。
【００６３】
ステップ３０２では、前記マスタ基地局ＭＮ無線接続失敗の指示に基づいて、端末にＲＲＣ再設定メッセージを送信する。
【００６４】
具体的には、セカンダリ基地局ＳＮは、当該マスタ基地局ＭＮ無線接続失敗の指示を受信すると、マスタ基地局ＭＮに報告し、マスタ基地局ＭＮは、当該マスタ基地局ＭＮ無線接続失敗の指示に基づいてＲＲＣ再設定メッセージを決定し、セカンダリ基地局ＳＮに送信し、次にセカンダリ基地局ＳＮは、当該ＲＲＣ再設定メッセージを端末に送信する。
【００６５】
或いは、セカンダリ基地局は、当該マスタ基地局ＭＮ無線接続失敗の指示を受信すると、当該マスタ基地局ＭＮ無線接続失敗の指示に基づいてＲＲＣ再設定メッセージを直接決定し、端末に送信する。
【００６６】
本開示の実施例におけるＲＲＣ再設定メッセージは、特定のＩＥ（Ｉｎｆｏｒｍａｔｉｏｎ  Ｅｌｅｍｅｎｔ、情報要素）を含む再設定メッセージであり、前記特定の情報要素ＩＥは、同期再設定（ｒｅｃｏｎｆｉｇｕｒａｔｉｏｎＷｉｔｈＳｙｎｃ）ＩＥ、フル設定（ｆｕｌｌＣｏｎｆｉｇ）ＩＥ、マスターセルグループ（ｍａｓｔｅｒＣｅｌｌＧｒｏｕｐ）ＩＥ、又は失敗指示応答ＩＥであってもよいし、ＲＲＣ再設定メッセージにおける他の指定の情報要素ＩＥであってもよく、前記特定の情報要素ＩＥが具体的にどのような情報要素ＩＥであるかは、プロトコルによって取り決められ、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【００６７】
なお、上記失敗指示応答ＩＥは、この再設定が端末によって報告されたマスタ基地局ＭＮ無線リンク失敗指示への応答であることを示している。
【００６８】
好ましい実現方式として、マスタ基地局ＭＮ無線接続失敗の指示には番号が付いており、失敗指示応答ＩＥも番号であり、２つの番号が同じ場合は、当該失敗指示応答ＩＥが上記マスタ基地局ＭＮ無線接続失敗の指示に対応する情報要素ＩＥであることを意味する。
【００６９】
本開示の実施例における再設定方法では、端末から送信されたマスタ基地局ＭＮ無線接続失敗の指示を取得し、前記マスタ基地局ＭＮ無線接続失敗の指示に基づいてＲＲＣ再設定メッセージを端末に送信して、端末に当該ＲＲＣ再設定メッセージに基づいて再設定を行わせることにより、ユーザ機器ＵＥによるＲＲＣ接続の再確立手順の開始を回避し、さらにユーザ機器ＵＥデータの送受信が中断される問題を回避する。
【００７０】
図４は、本開示の実施例に係る端末のブロック図であり、図４に示すように、本開示の実施例に係る少なくとも２つの基地局に接続された端末４００は、
前記端末とマスタ基地局ＭＮとの間の接続に失敗した場合に、セカンダリ基地局ＳＮにマスタ基地局ＭＮ無線接続失敗の指示を報告するための報告モジュール４０１と、
ターゲットタイマがタイムアウトする前にＲＲＣ再設定メッセージを受信すると、前記ＲＲＣ再設定メッセージに基づいて再設定処理を行うための再設定モジュール４０２とを含む。
【００７１】
本開示の実施例に係る端末では、前記ターゲットタイマの開始時刻は、
前記端末の無線リソース制御ＲＲＣ層が前記マスタ基地局ＭＮ無線接続失敗の指示を生成する時刻、
又は、前記端末のＲＲＣ層が前記マスタ基地局ＭＮ無線接続失敗の指示を下位層に転送する時刻、
又は、前記マスタ基地局ＭＮ無線接続失敗の指示がエアインタフェースで送信される時刻を含む。
【００７２】
本開示の実施例に係る端末では、前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【００７３】
本開示の実施例に係る端末は、
ＲＲＣ層がＲＲＣ再設定メッセージを受信したか、又はＲＲＣ再設定メッセージに基づいて再設定処理を行うときにタイミングを停止するように前記ターゲットタイマを制御するための第１の制御モジュールをさらに含む。
【００７４】
前記ＲＲＣ再設定メッセージが同期再設定ＩＥを含む再設定メッセージである場合、本開示の実施例に係る端末は、
前記再設定モジュールが前記ＲＲＣ再設定メッセージに基づいて再設定処理を行った後、前記ＲＲＣ再設定メッセージに基づいてランダムアクセス手順を開始するための第１の処理モジュールと、
前記ターゲットタイマがタイムアウトする前に、端末のＲＲＣ層が、媒体アクセス制御ＭＡＣ層が送信したランダムアクセス成功の指示を受信すると、タイミングを停止するように前記ターゲットタイマを制御するための第２の制御モジュールとをさらに含む。
【００７５】
本開示の実施例に係る端末は、
報告モジュールがマスタ基地局ＭＮ無線リンク失敗の指示をセカンダリ基地局ＳＮに報告した後、前記ターゲットタイマがタイムアウトすると、ＲＲＣ接続の再確立手順を開始するための第２の処理モジュールをさらに含む。
【００７６】
本開示の実施例に係る端末では、前記マスタ基地局ＭＮ無線リンク失敗の指示は、
マスタ基地局ＭＮ無線接続に失敗した原因及び端末の測定結果のうちの少なくとも１つを含む。
【００７７】
本開示の実施例における端末は、前記端末とマスタ基地局ＭＮとの間の無線接続に失敗した場合に、セカンダリ基地局ＳＮにマスタ基地局ＭＮ無線接続失敗の指示を報告し、ターゲットタイマがタイムアウトする前にＲＲＣ再設定メッセージを受信すると、前記ＲＲＣ再設定メッセージに基づいて再設定処理を行うことにより、ユーザ機器ＵＥによるＲＲＣ接続の再確立手順の開始を回避し、さらにユーザ機器ＵＥデータの送受信が中断される問題を回避する。
【００７８】
本開示の実施例に係る端末は、メモリと、プロセッサと、メモリに記憶されプロセッサ上で実行可能で、前記プロセッサによって実行されると、端末に適用される上記再設定方法の実施例における各プロセスを実現し、かつ同等の技術的効果を達成することができるコンピュータプログラムとを含むが、重複を避けるために、ここでは説明を繰り返さない。
【００７９】
本開示の実施例に係るコンピュータ読み取り可能な記憶媒体には、プロセッサによって実行されると、端末に適用される上記再設定方法の実施例における各プロセスを実現し、かつ同等の技術的効果を達成することができるコンピュータプログラムが記憶されており、重複を避けるために、ここでは説明を繰り返さない。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクなどであってよい。
【００８０】
上記目的をよりよく実現するために、図５に示すように、本開示の実施例に係る端末は、メモリ５２０と、プロセッサ５００と、トランシーバ５１０と、ユーザインターフェス５３０と、バスインターフェスと、メモリ５２０に記憶され、プロセッサ５００上で実行可能なコンピュータプログラムとを含み、前記プロセッサ５００は、メモリ５２０内のプログラムを読み取り、
前記端末とマスタ基地局ＭＮとの間の接続に失敗した場合に、セカンダリ基地局ＳＮにマスタ基地局ＭＮ無線接続失敗の指示を報告することと、
ターゲットタイマがタイムアウトする前にＲＲＣ再設定メッセージを受信すると、前記ＲＲＣ再設定メッセージに基づいて再設定処理を行うこととを実行する。
【００８１】
図５において、バスアーキテクチャは、任意の数の相互接続されたバス及びブリッジを含んでよく、具体的には、プロセッサ５００によって表される１つ又は複数のプロセッサ及びメモリ５２０によって表されるメモリの様々な回路によって一体にリンクされている。バスアーキテクチャは、また、周辺機器、スタビライザ、及びパワー管理回路などの様々なその他の回路を一体にリンクすることができ、これらは、いずれも本分野において既知のものであるため、本明細書においてさらに説明しない。バスインタフェースは、インタフェースを提供する。トランシーバ５１０は、複数の部品であってよく、すなわち、送信機及びトランシーバを含み、送信媒体上で様々な他の装置と通信するためのユニットを提供する。異なるユーザ機器に応じて、ユーザインタフェース５３０は、必要な機器と外接又は内接することができるインタフェースであってよく、接続される機器は、キーパッド、ディスプレイ、スピーカ、マイク、ジョイスティックなどを含むが、これらに限定されない。
【００８２】
プロセッサ５００は、バスアーキテクチャ及び一般的な処理を管理することを担当し、メモリ５２０は、プロセッサ５００が操作を実行するときに使用するデータを記憶することができる。
【００８３】
好ましくは、前記ターゲットタイマの開始時刻は、
前記マスタ基地局ＭＮ無線接続失敗の指示の生成プロセスにおける予め設定された時刻、
又は、前記端末の無線リソース制御ＲＲＣ層が前記マスタ基地局ＭＮ無線接続失敗の指示を下位層に転送する時刻、
又は、前記マスタ基地局ＭＮ無線接続失敗の指示がエアインタフェースで送信される時刻を含む。
【００８４】
好ましくは、前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【００８５】
好ましくは、前記プロセッサ５００は、メモリ５２０内のプログラムを読み取り、さらに
ＲＲＣ層がＲＲＣ再設定メッセージを受信したか、又はＲＲＣ再設定メッセージに基づいて再設定処理を行うときにタイミングを停止するように前記ターゲットタイマを制御することを実行する。
【００８６】
好ましくは、前記ＲＲＣ再設定メッセージが同期再設定ＩＥを含む再設定メッセージである場合、
前記プロセッサ５００は、メモリ５２０内のプログラムを読み取り、さらに
前記ＲＲＣ再設定メッセージに基づいてランダムアクセス手順を開始し、
前記ターゲットタイマがタイムアウトする前に、端末のＲＲＣ層が、媒体アクセス制御ＭＡＣ層が送信したランダムアクセス成功の指示を受信すると、タイミングを停止するように前記ターゲットタイマを制御することを実行する。
【００８７】
好ましくは、前記プロセッサ５００は、メモリ５２０内のプログラムを読み取り、さらに
前記ターゲットタイマがタイムアウトすると、ＲＲＣ接続の再確立手順を開始することを実行する。
【００８８】
好ましくは、前記マスタ基地局ＭＮ無線リンク失敗の指示は、
マスタ基地局ＭＮ無線接続に失敗した原因及び端末の測定結果のうちの少なくとも１つを含む。
【００８９】
図６は、本開示の各実施例を実現するための端末のハードウェア構造の概略図であり、当該端末６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０、及び電源６１１などの部品を含むが、これらに限定されない。当業者であれば理解できるように、図６に示す端末の構造は、端末を限定するものではなく、端末は、図示よりも多い又は少ない部品を含んでもよく、ある部品を組み合わせたり、異なる部品配置を有したりしてもよい。本開示の実施例では、端末は、携帯電話、タブレットコンピュータ、ノートパソコン、パームトップコンピュータ、車載端末、ウェアラブルデバイス及び歩数計などを含むが、これらに限定されない。
【００９０】
プロセッサ６１０は、前記端末とマスタ基地局ＭＮとの間の接続に失敗した場合に、セカンダリ基地局ＳＮにマスタ基地局ＭＮ無線接続失敗の指示を報告し、ターゲットタイマがタイムアウトする前にＲＲＣ再設定メッセージを受信すると、前記ＲＲＣ再設定メッセージに基づいて再設定処理を行う。
【００９１】
本開示の実施例における上記技術手段では、前記端末とマスタ基地局ＭＮとの間の無線接続に失敗した場合に、セカンダリ基地局ＳＮにマスタ基地局ＭＮ無線接続失敗の指示を報告し、ターゲットタイマがタイムアウトする前にＲＲＣ再設定メッセージを受信すると、前記ＲＲＣ再設定メッセージに基づいて再設定処理を行うことにより、ユーザ機器ＵＥによるＲＲＣ接続の再確立手順の開始を回避し、さらにユーザ機器ＵＥデータの送受信が中断される問題を回避する。
【００９２】
本開示の実施例では、無線周波数ユニット６０１は、情報の送受信中又は通話中に信号の送受信に用いられてよく、具体的には、基地局からのダウンリンクデータを受信した後、プロセッサ６１０に処理させ、また、アップリンクデータを基地局に送信することを理解されたい。一般に、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに無線通信システムによりネットワーク及び他の装置と通信することができる。
【００９３】
端末は、ネットワークモジュール６０２により無線のブロードバンドインターネットアクセスをユーザに提供して、例えば、ユーザの電子メールの送受信、ウェブの閲覧及びストリーミングメディアのアクセスなどを助ける。
【００９４】
オーディオ出力ユニット６０３は、無線周波数ユニット６０１又はネットワークモジュール６０２によって受信されるか又はメモリ６０９に記憶されたオーディオデータをオーディオ信号に変換して、音声として出力することができる。そして、オーディオ出力ユニット６０３は、さらに端末６００によって実行される特定の機能に関連するオーディオ出力（例えば、呼出音、メッセージ着信音など）を提供することができる。オーディオ出力ユニット６０３は、スピーカ、ブザー、受話器などを含む。
【００９５】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイク６０４２を含んでよく、グラフィック処理ユニット６０４１は、動画撮影モード又は撮影モードで撮影装置（例えば、カメラ）によって取得された静止画像又はビデオの画像データを処理する。処理後の画像フレームは、表示ユニット６０６に表示されてよい。グラフィック処理ユニット６０４１によって処理された画像フレームは、メモリ６０９（又は他の記憶媒体）に記憶されてもよく、無線周波数ユニット６０１又はネットワークモジュール６０２によって送信されてもよい。マイク６０４２は、音声を受信し、かつこのような音声をオーディオデータに処理することができる。処理後のオーディオデータを、電話モードの場合に無線周波数ユニット６０１によって移動通信ネットワーク機器に送信されるフォーマットに変換して出力することができる。
【００９６】
端末６００は、さらに、光センサ、動きセンサ、及び他のセンサなどの少なくとも１つのセンサ６０５を含んでよい。具体的には、光センサは、環境光線の明るさに応じて表示パネル６０６１の輝度を調節することができる環境光センサと、端末６００が耳元に移動するときに、表示パネル６０６１及び／又はバックライトをオフにすることができる近接センサとを含む。動きセンサの１種として、加速センサは、各方向（通常は３軸）の加速度の大きさを検出でき、静止時に重力の大きさ及び方向を検出でき、端末の姿勢の識別（例えば、横／縦画面切り替え、関連ゲーム、磁力計の姿勢較正）、振動識別に関連する機能（例えば、歩数計、タッピング）等に用いられてよく、センサ６０５は、さらに、指紋センサ、圧力センサ、虹彩センサ、分子センサ、ジャイロスコープ、気圧計、湿度計、温度計、赤外線センサなどを含んよく、ここでは説明を繰り返さない。
【００９７】
表示ユニット６０６は、ユーザによって入力された情報又はユーザに提供された情報を表示する。表示ユニット６０６は、表示パネル６０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル６０６１を配置してよい。
【００９８】
ユーザ入力ユニット６０７は、入力した数字又は文字情報を受信するとともに、端末におけるユーザ設定及び機能制御に関連するキー信号入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスなどの任意の適切な物体又は付属品を使用した、タッチパネル６０７１上又はタッチパネル６０７１の近くでのユーザ操作）を収集することができる。タッチパネル６０７１は、タッチ検出装置及びタッチコントローラの２つの部分を含んでよい。タッチ検出装置は、ユーザのタッチ位置を検出し、タッチ操作による信号を検出し、信号をタッチコントローラに送信し、タッチコントローラは、タッチ検出装置からタッチ情報を受信し、かつタッチポイント座標に変換し、次にプロセッサ６１０に送信し、プロセッサ６１０から送信された命令を受信し実行する。また、抵抗式、容量式、赤外線式、及び表面弾性波式などの複数のタイプでタッチパネル６０７１を実現することができる。タッチパネル６０７１に加えて、ユーザ入力ユニット６０７は、また、他の入力装置６０７２を含んでよい。具体的には、他の入力装置６０７２は、物理的キーボード、機能キー（ボリューム調節キー、スイッチキーなど）、トラックボール、マウス、及び操作レバーを含むが、これらに限定されず、ここでは説明を繰り返さない。
【００９９】
さらに、タッチパネル６０７１は、表示パネル６０６１にカバーされてよく、タッチパネル６０７１がその上又はその近くでのタッチ操作を検出した後、プロセッサ６１０に送信してタッチイベントのタイプを決定し、その後にプロセッサ６１０は、タッチイベントのタイプに基づいて表示パネル６０６１上に対応する視覚的出力を提供する。図６において、タッチパネル６０７１及び表示パネル６０６１は、２つの独立した部品として端末の入出力機能を実現するが、いくつかの実施例では、タッチパネル６０７１及び表示パネル６０６１を一体化して、端末の入出力機能を実現することができ、ここでは限定されない。
【０１００】
インタフェースユニット６０８は、外部装置を端末６００に接続するためのインタフェースである。例えば、外部装置は、有線又は無線ヘッドセットポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６０８は、外部装置からの入力（例えば、データ情報、電力など）を受信するとともに、受信した入力を端末６００内の１つ又は複数の素子に送信するか、又は端末６００と外部装置との間にデータを送信することができる。
【０１０１】
メモリ６０９は、ソフトウェアプログラム及び様々なデータを記憶することができる。メモリ６０９は、主に、オペレーティングシステム、少なくとも１つの機能（音声再生機能、画像再生機能など）に必要なアプリケーションプログラムなどを記憶することができるプログラム記憶領域と、携帯電話の用途に応じて作成されたデータ（オーディオデータ、電話帳など）などを記憶することができるデータ記憶領域を含んでよい。また、メモリ６０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１０２】
プロセッサ６１０は、端末の制御センターであり、様々なインタフェース及び回線により端末全体の各部分に接続され、メモリ６０９に記憶されたソフトウェアプログラム及び／又はモジュールを動作させるか又は実行し、メモリ６０９に記憶されたデータを呼び出すことにより、端末の様々な機能を実行し、データを処理して、端末全体を監視する。
【０１０３】
プロセッサ６１０は、１つ又は複数の処理ユニットを含んでよく、好ましくは、プロセッサ６１０は、主にオペレーティングシステム、ユーザインタフェース、及びアプリケーションなどを処理するアプリケーションプロセッサと、主に無線通信を処理するモデムプロセッサとを集積することができる。上記モデムプロセッサは、プロセッサ６１０に集積されなくてよいことを理解されたい。
【０１０４】
移動端末６００は、また、各部品に電力を供給するための電源６１１（電池など）を含んでよく、好ましくは、電源６１１は、電源管理システムによりプロセッサ６１０に論理的に接続されて、電源管理システムにより充電、放電、及び電力消費の管理などの機能を実現することができる。
【０１０５】
また、端末６００は、いくつかの未図示の機能モジュールを含むが、ここでは説明を繰り返さない。
【０１０６】
図７は、本開示の実施例に係る基地局のブロック図であり、図７に示すように、本開示の実施例に係る基地局７００は、
端末から送信されたマスタ基地局ＭＮ無線接続失敗の指示を取得するための取得モジュール７０１と、
前記マスタ基地局ＭＮ無線接続失敗の指示に基づいて、端末にＲＲＣ再設定メッセージを送信するための送信モジュール７０２とを含む。
【０１０７】
本開示の実施例に係る基地局では、前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【０１０８】
本開示の実施例に係る基地局では、前記マスタ基地局ＭＮ無線接続失敗の指示は、マスタ基地局ＭＮ無線接続に失敗した原因及び端末の測定結果のうちの少なくとも１つを含む。
【０１０９】
本開示の実施例に係る基地局は、メモリと、プロセッサと、メモリに記憶されプロセッサ上で実行可能で、前記プロセッサによって実行されると、基地局に適用される上記再設定方法の実施例における各プロセスを実現し、かつ同等の技術的効果を達成することができるコンピュータプログラムとを含むが、重複を避けるために、ここでは説明を繰り返さない。
【０１１０】
本開示の実施例に係るコンピュータ読み取り可能な記憶媒体には、プロセッサによって実行されると、上記基地局に適用される再設定方法の実施例における各プロセスを実現し、かつ同等の技術的効果を達成することができるコンピュータプログラムが記憶されており、重複を避けるために、ここでは説明を繰り返さない。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクなどであってよい。
【０１１１】
図８に示すように、本開示の実施例に係る基地局８００は、プロセッサ８０１、トランシーバ８０２、メモリ８０３及びバスインタフェースを含み、
プロセッサ８０１は、メモリ８０３内のプログラムを読み取り、
端末から送信されたマスタ基地局ＭＮ無線接続失敗の指示を取得することと、
前記マスタ基地局ＭＮ無線接続失敗の指示に基づいて、端末にＲＲＣ再設定メッセージを送信することとを実行する。
【０１１２】
図８において、バスアーキテクチャは、任意の数の相互接続されたバス及びブリッジを含んでよく、具体的には、プロセッサ８０１によって表される１つ又は複数のプロセッサ及びメモリ８０３によって表されるメモリの様々な回路によって一体にリンクされている。バスアーキテクチャは、また、周辺機器、スタビライザ、及びパワー管理回路などの様々なその他の回路を一体にリンクすることができ、これらは、いずれも本分野において既知のものであるため、本明細書においてさらに説明しない。バスインタフェースは、インタフェースを提供する。トランシーバ８０２は、複数の部品であってよく、すなわち、送信機及び受信機を含み、送信媒体上で様々な他の装置と通信するためのユニットを提供する。
【０１１３】
プロセッサ８０１は、バスアーキテクチャ及び一般的な処理を管理することを担当し、メモリ８０３は、プロセッサ８０１が操作を実行するときに使用するデータを記憶することができる。
【０１１４】
好ましくは、前記ＲＲＣ再設定メッセージは、特定の情報要素ＩＥを含む再設定メッセージであり、該特定の情報要素ＩＥは、同期再設定ＩＥ、フル設定ＩＥ、マスターセルグループＩＥ、又は失敗指示応答ＩＥであり、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【０１１５】
好ましくは、前記マスタ基地局ＭＮ無線接続失敗の指示は、マスタ基地局ＭＮ無線接続に失敗した原因及び端末の測定結果のうちの少なくとも１つを含む。
【０１１６】
なお、本明細書では、用語「含む」、「備える」又はそれらの任意の変形は、非排他的な包含をカバーすることを意図することにより、一連の要素を含むプロセス、方法、物体、又は装置は、それらの要素を含むだけでなく、明確に列記されていない他の要素も含み、又は、このようなプロセス、方法、物体、又は装置に固有の要素をさらに含む。より多くの限定がない場合、語句「１つ・・・を含む」により限定された要素は、当該要素を含むプロセス、方法、物体、又は装置にさらに別の同一の要素が存在することを排除するものではない。
【０１１７】
以上の実施の説明により、当業者は、上記実施例における方法が、ソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、当該コンピュータソフトウェア製品は、記憶媒体（例えば、ＲＯＭ／ＲＡＭ、磁気ディスク、光ディスク）内に記憶され、１台の端末（携帯電話、コンピュータ、サーバ、エアコン又はネットワーク機器などであってよい）に本開示の各実施例に記載の方法を実行させるためのいくつかの命令を含む。
【０１１８】
以上、添付図面を参照して本開示の実施例を説明したが、本開示は、上記具体的な実施形態に限定されるものではなく、上記具体的な実施形態は、限定的なものではなく、例示にすぎず、当業者であれば、本開示の示唆の下で、本開示の趣旨及び特許請求の範囲の保護範囲から逸脱せずに多くの形態を行うことができ、これらはいずれも本開示の保護の範囲内に属する。
【図１】
2021533630.tif 000003
【図２】
2021533630.tif 000004
【図３】
2021533630.tif 000005
【図４】
2021533630.tif 000006
【図５】
2021533630.tif 000007
【図６】
2021533630.tif 000008
【図７】
2021533630.tif 000009
【図８】
2021533630.tif 000010
【手続補正書】
【提出日】令和3年3月24日(2021.3.24)
【手続補正１】
【補正対象書類名】明細書
【補正対象項目名】０００２
【補正方法】変更
【補正の内容】
【０００２】
ユーザ機器又は端末（Ｕｓｅｒ  Ｅｑｕｉｐｍｅｎｔ、ＵＥ）とネットワークとの間の通信に問題が発生した場合、ＵＥは無線リソース制御（Ｒａｄｉｏ  Ｒｅｓｏｕｒｃｅ  Ｃｏｎｔｒｏｌ、ＲＲＣ）接続の再確立手順を開始する必要がある。ＲＲＣ接続の再確立手順は、ネットワークとＵＥとの間のシグナリング接続、すなわち、シグナリング無線ベアラ（Ｓｉｇｎａｌｉｎｇ  Ｒａｄｉｏ  Ｂｅａｒｅｒ、ＳＲＢ１）を再開する。
【手続補正２】
【補正対象書類名】明細書
【補正対象項目名】００２７
【補正方法】変更
【補正の内容】
【００２７】
無線リンク監視ＲＬＭは、プライマリセルＰＣｅｌｌとプライマリセカンダリセルＰＣｅｌｌでのみ実行される。
【手続補正３】
【補正対象書類名】明細書
【補正対象項目名】００３５
【補正方法】変更
【補正の内容】
【００３５】
これに基づいて、図２に示すように、本開示の実施例に係る少なくとも２つの基地局に接続された端末に適用される再設定方法を提供する。該再設定方法は、以下のステップ２０１〜２０２を含む。
ステップ２０１では、前記端末とマスタ基地局ＭＮとの間の接続に失敗した場合に、セカンダリ基地局ＳＮにＭＮ無線接続失敗の指示を報告する。
【手続補正４】
【補正対象書類名】明細書
【補正対象項目名】００５８
【補正方法】変更
【補正の内容】
【００５８】
図３に示すように、本開示の実施例に係る基地局に適用される再設定方法を提供する。該再設定方法は、以下のステップ３０１〜３０２を含む。
【手続補正５】
【補正対象書類名】明細書
【補正対象項目名】００６６
【補正方法】変更
【補正の内容】
【００６６】
本開示の実施例におけるＲＲＣ再設定メッセージは、特定の情報要素（Ｉｎｆｏｒｍａｔｉｏｎ  Ｅｌｅｍｅｎｔ、ＩＥ）を含む再設定メッセージであり、前記特定の情報要素ＩＥは、同期再設定（ｒｅｃｏｎｆｉｇｕｒａｔｉｏｎＷｉｔｈＳｙｎｃ）ＩＥ、フル設定（ｆｕｌｌＣｏｎｆｉｇ）ＩＥ、マスターセルグループ（ｍａｓｔｅｒＣｅｌｌＧｒｏｕｐ）ＩＥ、又は失敗指示応答ＩＥであってもよいし、ＲＲＣ再設定メッセージにおける他の指定の情報要素ＩＥであってもよく、前記特定の情報要素ＩＥが具体的にどのような情報要素ＩＥであるかは、プロトコルによって取り決められ、
或いは、前記ＲＲＣ再設定メッセージは、プライマリセルＰＣｅｌｌを変更するように前記端末に指示する再設定メッセージであり、
或いは、ＲＲＣ再設定メッセージは、プライマリセルＰＣｅｌｌの無線リンク監視基準信号ＲＳを変更するように前記端末に指示する再設定メッセージである。
【国際調査報告】
2021533630.tif 000011
2021533630.tif 000012
2021533630.tif 000013
2021533630.tif 000014